(57)【要約】【課題】複数の面発光部による多彩な照明効果を得ることができ、良好な演出効果や雰囲気作りを図ることができる装飾効果に優れた照明装置を提供すること。【解決手段】例えば有機ＥＬ素子を面発光部５とした矩形状のメインパネル１と、前記メインパネル１の左右に隣接して、同じく有機ＥＬ素子を面発光部５とした同形状のサブパネル２が具備される。前記サブパネル２は、連結部材１２を介して前記メインパネル１に対して辺回動もしくは点回動されると共に、前記連結部材１２には前記メインパネル１とサブパネル２との間の距離が変更可能なスライド機構が備えられる。したがってメインパネルとサブパネルとは照射方向および互いの距離を任意に変更することができ、これにより多彩な照明効果を得ることができる。【選択図】図２
2010257864.tif 000002
【特許請求の範囲】
【請求項１】
少なくとも一面が面発光部を構成するメインパネルと、前記メインパネルに隣接して少なくとも一面が面発光部を構成するサブパネルとが具備され、
前記サブパネルは、連結部材を介して前記メインパネルに対して辺回動もしくは点回動されと共に、前記連結部材には前記メインパネルとサブパネルとの間の距離が変更可能なスライド機構が備えられていることを特徴とする照明装置。
【請求項２】
前記メインパネルを中央にして、その両側にサブパネルが前記連結部材を介してそれぞれ取り付けられていることを特徴とする請求項１に記載された照明装置。
【請求項３】
前記メインパネルおよび前記サブパネルがそれぞれ矩形状に形成されていることを特徴とする請求項２に記載された照明装置。
【請求項４】
前記面発光部が有機ＥＬ素子により構成されていることを特徴とする請求項１ないし請求項３のいずれか１項に記載された照明装置。
【請求項５】
前記メインパネルおよび／またはサブパネルにおける面発光部を構成する前記有機ＥＬ素子は、複数の小面積の各有機ＥＬ素子を集合させた状態に構成されていることを特徴とする請求項４に記載された照明装置。
【請求項６】
前記メインパネルおよび／またはサブパネルにおける面発光部の両面が発光可能となるように、各有機ＥＬ素子が背中合わせの状態に重ね合わせた構成にされていることを特徴とする請求項４または請求項５に記載された照明装置。
【発明の詳細な説明】
【技術分野】
【０００１】
この発明は、例えば有機ＥＬ（エレクトロ・ルミネッセンス）素子に代表される面発光光源を用いた照明装置に関する。
【背景技術】
【０００２】
従来より点光源である白熱電球や、線光源である蛍光灯等が照明用の光源として多用されている。前者の白熱電球は最も歴史が古く、長期間にわたり利用されているが、エネルギー効率（発光効率）が低く、寿命が短い等の諸問題を抱えており、近年において注目されている温室効果ガスの排出削減などの理由から一部のメーカーにおいては製造廃止の動きが出ている。
【０００３】
また、後者の蛍光灯は、前者の白熱電球に比べて発光効率および演色性などにおいて改善はされているものの、廃棄時における水銀の処理等で、やはり環境問題において負担が大きい。
【０００４】
そこで昨今においては、面発光光源として有機ＥＬ素子が注目されている。この有機ＥＬ素子は低電圧により駆動されることで高い発光効率を有し、軽量かつ薄型化が可能であることから、一部の携帯型機器などにおけるフラットパネルディスプレイ（ＦＰＤ）に利用されており、また同素子を面発光光源として、例えば液晶表示素子のバックライトとして利用する形態のものも提供されている。
【０００５】
また、前記有機ＥＬ素子は発光層に用いる素材の選択により、Ｒ（赤）、Ｇ（緑）、Ｂ（青）などの各発光色を得ることができ、したがって前記した各発光色を単独で、または二種以上の発光色を組み合わせることにより、白色もしくはこれに近い発光色を得ることも可能となる。それ故、有機ＥＬ素子を面発光光源（発光パネル）として構成することで、例えば装飾用の光源や、室内等を照明する高効率な光源として利用することができる。
【０００６】
前記した有機ＥＬ素子の特質を生かし、これを面発光型の照明装置として利用したものが、次に示す先行技術文献に開示されている。
【先行技術文献】
【特許文献】
【０００７】
【特許文献１】特開２００３−７４５０号公報
【特許文献２】特開２００４−２３４８６８号公報
【発明の概要】
【発明が解決しようとする課題】
【０００８】
ところで、前記特許文献１および２に開示された照明装置においては、有機ＥＬ素子を面発光光源として利用した場合において、主に輝度むらの発生を防止することを解決しようとする課題としているものであり、有機ＥＬ素子を単調な面発光光源として利用しようとする点にとどまるものである。
【０００９】
この発明は、前記した有機ＥＬ素子に代表される面発光光源を特定な形態で連結すると共に、各発光面の角度や間隔を好みに応じて変化させることが可能な照明装置を提供しようとするものであり、これにより良好な演出効果や雰囲気作りを図ることができ、また装飾効果に優れた照明装置を提供することを課題とするものである。
【課題を解決するための手段】
【００１０】
前記した課題を解決するためになされたこの発明にかかる照明装置は、少なくとも一面が面発光部を構成するメインパネルと、前記メインパネルに隣接して少なくとも一面が面発光部を構成するサブパネルとが具備され、前記サブパネルは、連結部材を介して前記メインパネルに対して辺回動もしくは点回動されと共に、前記連結部材には前記メインパネルとサブパネルとの間の距離が変更可能なスライド機構が備えられている点に特徴を有する。
【００１１】
この場合、好ましくは前記メインパネルを中央にして、その両側にサブパネルが前記連結部材を介してそれぞれ取り付けられ、また前記メインパネルおよび前記サブパネルはそれぞれ矩形状に形成された構成にされる。そして、前記面発光部は有機ＥＬ素子により構成されていることが望ましい。
【００１２】
また、好ましい形態においては、前記メインパネルおよび／またはサブパネルにおける面発光部を構成する前記有機ＥＬ素子は、複数の小面積の各有機ＥＬ素子を集合させた状態に構成される。さらに、前記面発光部の両面が発光可能となるように、前記有機ＥＬ素子が背中合わせの状態に重ね合わせた構成も好適に採用される。
【発明の効果】
【００１３】
前記した構成の照明装置によると、メインパネルに対してサブパネルが連結部材を介して辺回動もしくは点回動が可能に支持されると共に、前記メインパネルとサブパネルとの間にスライド機構が備えられているので、メインパネルに対するサブパネルの角度（姿勢）を任意に選択することができ、かつメインパネルとサブパネルとの間の距離を任意に調整可能な照明装置を提供することができる。
【００１４】
したがって、メインパネルおよびサブパネルによる複数の面発光部による多彩な照明効果を得ることができ、良好な演出効果や雰囲気作りを図ることができる装飾効果に優れた照明装置を提供することができる。
【図面の簡単な説明】
【００１５】
【図１】この発明にかかる照明装置の各部を分解して示した斜視図である。
【図２】スライド機構を利用してメインパネルとサブパネルとの間の距離を調整した例を示す斜視図である。
【図３】メインパネルとサブパネルとを連結する連結部材の分解図および組み立てた状態の斜視図である。
【図４】照明装置の全体をスタンド金具に取り付けるための結合金具の例を示した分解斜視図である。
【発明を実施するための形態】
【００１６】
以下、この発明にかかる照明装置について、図に示す実施の形態に基づいて説明する。図１は照明装置の各部を分解して示したものであり、この照明装置は中央に矩形状に形成されたメインパネル１が備えられ、このメインパネル１の左右両側に同じく矩形状に形成されたサブパネル２が備えられている。そして、この実施の形態においては、前記メインパネル１とその両側のサブパネル２とは、その外形形状がほぼ同一構成になされている。
【００１７】
すなわち、前記メインパネル１およびサブパネル２は、共に矩形状の窓孔４が形成された額縁状の枠体３と、この枠体３に接合されるようにして取り付けられた面発光部５とにより構成されている。そして、枠体３に形成された窓孔４を介して、前記面発光部５からの光が照射光として投射されるように構成されており、この実施の形態においては、前記面発光部５は有機ＥＬ素子により構成されている。
【００１８】
前記有機ＥＬ素子は一つの例として、例えば透明なガラス基板上にＩＴＯなどの透明電極をベタ電極として形成し、前記透明電極上に、さらに発光層を含む有機膜を形成すると共に、当該有機膜上に対向電極をベタ電極として形成した構成になされる。そして、前記透明電極、有機膜、対向電極からなる有機ＥＬ素子は、前記ガラス基板の周囲において接合される封止部材により、その背面側が封止された状態になされる。
【００１９】
なお、前記有機ＥＬ素子は、有機発光層を挟む表裏の各電極をそれぞれ透明電極とすることで、表裏両面が発光するように構成させることができる。したがって、この実施の形態においても、前記したような表裏両面が発光する有機ＥＬ素子を用いることができる。
【００２０】
図１に示すように、中央に配置される前記メインパネル１は、その裏面側において、Ｌ字状に形成された一対の取り付け金具６により、有機ＥＬ素子による面発光部５が、額縁状の枠体３に接合されるようにして取り付けられる。そして、前記一対の取り付け金具６は、長手方向に直交する断面がコ字状に形成された金属製のチャンネル部材７に対して、当該チャンネル部材７の両端部近傍において、ビス８によりビス止めされている。これにより、前記メインパネル１は、その裏面のほぼ中央に水平方向に配置されたチャンネル部材７によって支持されている。
【００２１】
なお、前記チャンネル部材７のほぼ中央部には、前記メインパネル１の裏面に取り付ける前に、予め一対のボルト９がねじ込まれた状態にされている。この一対のボルト９は、後述するよう照明装置の全体を支持するスタンド金具への取り付けに利用される。
【００２２】
前記メインパネル１の左右に隣接して配置されるサブパネル２においても、前記したメインパネル１の例と同様に、その裏面側において、Ｌ字状に形成された一対の取り付け金具６により、有機ＥＬ素子による面発光部５が、額縁状の枠体３に接合されるようにして取り付けられる。
【００２３】
そして、前記一対の取り付け金具６は、長手方向に直交する断面がコ字状に形成された金属製のチャンネル部材１０に対して、当該チャンネル部材１０の両端部近傍においてビス８によりビス止めされている。これにより、前記サブパネル２は、その裏面のほぼ中央に水平方向に配置されたチャンネル部材１０によって支持されている。
【００２４】
加えて、前記サブパネル２を裏面において支持するチャンネル部材１０は、このチャンネル部材１０をスライド可能に支持する金属製の第２のチャンネル部材１１内に長手方向にスライド可能に保持される。なお、前記第２のチャンネル部材１１と、その内側にスライド可能に保持されるチャンネル部材１０との間には、図示していないがスライド位置が仮固定できるクリック機構、およびチャンネル部材１０が第２のチャンネル部材１１内から抜け出るのを阻止するストッパー部材等が適宜形成されている。
【００２５】
一方、中央のメインパネル１を裏面において支持するチャンネル部材７の両端部には、連結部材１２の一方がビス１３によりそれぞれ締結されており、前記連結部材１２の他方は、前記した第２のチャンネル部材１１の端部にビス１３により締結されている。
【００２６】
これにより、メインパネル１を裏面において支持するチャンネル部材７を中央にして、左右の第２のチャンネル部材１１が連結部材１２によりそれぞれ連結され、左右の第２のチャンネル部材１１は、サブパネル２を裏面において支持するチャンネル部材１０をそれぞれスライド可能に支持した構成にされる。
【００２７】
図２は、前記したスライド機構を利用して、メインパネル１に対して一方のサブパネル２の位置を離した状態を示している。なお、図２においては、すでに説明した図１に示す各部と同一の機能を果たす部分を同一符号で示しており、したがってその詳細な説明は省略する。図２に例示したように、メインパネル１とサブパネル２との距離を任意に調節することができ、またスライド機構に施した前記クリック機構によって前記距離を任意にセットすることができる。
【００２８】
なお、前記した連結部材１２の具体的な構成は後で詳細に説明するが、互いに連結された中央のチャンネル部材７に対して左右の第２のチャンネル部材１１が辺回動（線回動）もしくは点回動できるように構成されており、この連結部材１２の構成により、前記メインパネル１に対するサブパネル２の角度（姿勢）を任意に選択することができる。加えて、前記したスライド機構によりメインパネル１とサブパネル２との間の距離を任意に調整することが可能となる。
【００２９】
図３は、前記した連結部材１２の具体的な構成を示したものであり、（Ａ）は各部材を分解した状態を示す斜視図であり、（Ｂ）は組み立てられた状態を示す斜視図である。なお、図３においては図１に示した状態の連結部材１２を、表裏を反転させた状態で示している。
【００３０】
図３に示す第１継手を構成するプレート部材１５は、前記した中央のチャンネル部材７にビス止めされるものであり、その端部には、支軸部材１６が二股状に形成されている。この支軸部材１６には前記プレート部材１５の幅方向に貫通する孔１７が形成されている。そして前記貫通孔１７に挿通されるボルト状のシャフト１８によって、中間継手１９に形成された軸孔２０を軸支するようになされる。これにより、中間継手１９がボルト状のシャフト１８に対して回動可能に軸支される。
【００３１】
前記中間継手１９には、前記軸孔２０に直交する方向に支持孔２１が形成されており、この支持孔２１には第２のシャフト２２が挿通され、このシャフト２２は締め付けビス２３によって前記中間継手１９に固着されている。
【００３２】
一方、前記中間継手１９に固着された第２のシャフト２２に対して、第２継手を構成する軸受け部材２４の貫通孔２５が挿通されており、前記軸受け部材２４にねじ込まれるビス２６の締め付けにより、軸受け部材２４は前記第２のシャフト２２に固定されるようになされる。前記軸受け部材２４には図１に示した第２のチャンネル部材１１の端部にビス１４によって締結されるプレート部材２７が一体に取り付けられている。
【００３３】
前記した構成の連結部材１２によると、ボルト状のシャフト１８を介して中間継手１９が回動可能に支持されているので、図１に示すメインパネル１に対してサブパネル２が辺回動（線回動）するように動作する。また連結部材１２における前記ビス２６の締結を緩めて、第２のシャフト２２に対して軸受け部材２４を回動させることにより、図１に示すメインパネル１に対してサブパネル２は、前記辺回動に直交する方向にも回動可能になされ、結果として点回動するように動作する。
【００３４】
図４は、前記したメインパネル１の裏側において装着され、照明装置の全体を支持する例えばスタンド金具に取り付けるための結合金具の例を示している。この結合金具は、メインパネル１をその裏面で支持する前記したチャンネル部材７を利用して取り付けられる。
【００３５】
すなわち、チャンネル部材７に予めねじ込まれた前記した一対のボルト９に、第１金具３１に形成された貫通孔３１ａが挿通され、前記ボルト９の先端に飾りナット３２がねじ込まれることにより、前記第１金具３１はチャンネル部材７の裏面に締結される。そして第１金具３１の中央部に形成された円形状の開口に、第２金具３３の一端部がはめ込まれ、第１金具３１にねじ込まれる止めねじ３４により、第２金具３３は第１金具３１に対して回動可能に結合される。
【００３６】
そして、第２金具３３の他端部が図示せぬスタンド金具に取り付けられ、このスタンド金具によって照明装置の全体が支持される。
【００３７】
なお、前記した説明において、メインパネル１および各サブパネル２を構成する面発光部５としての各有機ＥＬ素子は、それぞれ一枚のベタ電極からなる透明電極および対向電極の間に発光層を配置した例を示したが、これによると対峙する透明電極および対向電極の一部において電気的な短絡が発生した場合に、面発光部５の全体が発光不能になるという問題が生ずる。これを避けるために、前記各電極を複数に分割して、複数の小面積の各有機ＥＬ素子を集合させた状態に構成されていることが望ましい。
【００３８】
また、メインパネル１および各サブパネル２を構成する面発光部５としての各有機ＥＬ素子は、二枚の有機ＥＬ素子同志が背中合わせの状態に重ね合わされて、面発光部の両面が発光可能となるようにした構成も好適に採用することができる。このように構成することで、たとえ一方の有機ＥＬ素子が発光不能に陥っても、他の発光面に切り換えて利用することが可能となる。
【００３９】
この場合、図１および図２に示した実施の形態においては、メインパネル１および各サブパネル２を互いに連結する各チャンネル部材７，１０，１１が、裏側の面発光部のほぼ中央に位置することになり、これが目障りとなるだけでなく、照射光の一部を遮断することになる。したがって、前記した両面発光の構成を採用する場合においては、前記各チャンネル部材７，１０，１１は、前記メインパネル１および各サブパネル２の上端部もしくは下端部に沿って配置するように構成することが望ましい。
【００４０】
また、前記したように、表裏両面の有機ＥＬ素子を利用できるように構成した場合、表裏両面の有機ＥＬ素子の発光色を異なる関係、例えば昼光色と白色もしくは青色と白色などの組み合わせとすることで、これを任意に切り換えて利用することもできる。
【００４１】
さらに、前記した実施の形態においては、メインパネル１とその両側のサブパネル２とは、その外形形状がほぼ同一の矩形状になされているが、これらの各形態は任意に選定することができる。
【００４２】
そして、前記した照明装置は、スタンド金具により支持される形態の他、天井吊り下げ型や壁面固定型として利用することもできる。また面発光部５についても、前記した有機ＥＬ素子以外に無機ＥＬ素子や多数のＬＥＤを面状に配列したものも利用可能であり、いずれにしても前記した発明の効果の欄に記載した独自の作用効果を得ることができる。
【符号の説明】
【００４３】
１    メインパネル
２    サブパネル
３    枠体
４    窓孔
５    面発光部（有機ＥＬ素子）
６    取り付け金具
７    チャンネル部材
１０  チャンネル部材
１１  第２チャンネル部材
１２  連結部材
３１  第１金具
３３  第２金具
【図１】
2010257864.tif 000003
【図２】
2010257864.tif 000004
【図３】
2010257864.tif 000005
【図４】
2010257864.tif 000006